(57)【要約】【課題】本発明はＦＰＣ６４の挿入力が掛からないで、防塵性を高めるコネクタ１０を提供する。【解決手段】本目的は所要数のコンタクト１４とハウジング１２と回動部材１８とを備えるコネクタ１０において、コンタクト１４は少なくと接触部２６と接続部４０と支点部２８と連結部３０と押受部３２とを備え、略倒Ｈ形状に配置し、接続部４０と押受部３２との間で回動部材１８の押圧部５４を回動させると接触部２６が接続対象物に接続するような構造にし、ハウジング１２にはコンタクト１４の接触部２６を被覆する天井部５０と押受部３２を覆う上壁部５２とを備え、回動部材１８には操作部５６と押圧部５４と押受部３２と係止孔５８とカバー部６０とを備え、回動部材１８が回動した後、回動部材１８のカバー部６０でコンタクトテール側を覆うようにすることにより達成できる。【選択図】  図５
2006147523.tif 000002
【特許請求の範囲】
【請求項１】
フレキシブルプリント基板（ＦＰＣ）と着脱自在に嵌合するコネクタであって、該フレキシブルプリント基板と接触する接触部を有する所要数のコンタクトと、このコンタクトが保持・固定されるとともに前記フレキシブルプリント基板が挿入される嵌合口を有するハウジングと、前記コンタクトを押圧する回動部材とを備えるコネクタにおいて、
前記コンタクトは、一端側に前記接続対象物と接触する接触部と他端側に前記回動部材により押圧される押受部と該押受部の先端に内側に突出した突出部とを有する第一片と、一端側に支点部と他端側に基板と接続する接続部とを有する第ニ片と、前記第一片と前記支点部とを連結する連結部とを備え、前記接触部と前記連結部と前記支点部と前記接続部とを略クランク形状に配置し、
前記ハウジングは、前記コンタクトの接触部を被覆する天井部を有し、前記押受部を覆うとともに前記天井部に連設する上壁部とを備え、
前記回動部材は、回動させるための操作部と長手方向に連設した押圧部と前記押受部が挿入でき前記突出部と係合する別個独立の係止孔と前記コンタクトテール側を覆うカバー部とを備え、前記押圧部が前記コンタクトの接続部と押受部との間で回動するように前記ハウジングに装着され、
前記回動部材が回動し、前記コンタクトが前記フレキシブルプリント基板と接続する状態の際に、前記回動部材のカバー部で前記コンタクトテール側を覆うようにすることを特徴とするコネクタ。
【請求項２】
フレキシブルプリント基板（ＦＰＣ）と着脱自在に嵌合するコネクタであって、該フレキシブルプリント基板と接触する接触部を有する所要数のコンタクトと、このコンタクトが保持・固定されるとともに前記フレキシブルプリント基板が挿入される嵌合口を有するハウジングと、前記コンタクトを押圧する回動部材とを備えるコネクタにおいて、
２種類のコンタクトを千鳥に配置し、
一方の前記コンタクトは、一端側に前記接続対象物と接触する接触部と他端側に前記回動部材により押圧される押受部と該押受部の先端に内側に突出した突出部とを有する第一片と、一端側に支点部と他端側に基板と接続する接続部とを有する第ニ片と、前記第一片と前記支点部とを連結する連結部とを備え、前記接触部と前記連結部と前記支点部と前記接続部とを略クランク形状に配置し、
もう一方のコンタクトは、一端側に前記接続対象物と接触する接触部と他端側に前記回動部材により押圧される押受部と該押受部の先端に内側に突出した突出部とを有する第一片と、一端側に基板と接続する接続部と他端側に支点部とを有する第ニ片と、前記第一片と前記支点部とを連結する連結部とを備え、前記接触部と前記連結部と前記支点部と前記接続部とを略倒Ｕ字形状に配置し、
前記ハウジングは、一方及びもう一方の前記コンタクトの接触部を被覆する天井部を有し、前記押受部を覆うとともに前記天井部に連設する上壁部とを備え、
前記回動部材は、回動させるための操作部と長手方向に連設した押圧部と前記押受部が挿入でき前記突出部と係合する別個独立の係止孔と前記コンタクトテール側を覆うカバー部とを備え、前記押圧部が一方の前記コンタクトの接続部と押受部との間若しくはもう一方の前記コンタクトの押受部と前記ハウジングとの間で回動するように前記ハウジングに装着され、
前記回動部材が回動し、前記コンタクトが前記フレキシブルプリント基板と接続する状態の際に、前記回動部材のカバー部で前記コンタクトテール側を覆うようにすることを特徴とするコネクタ。
【請求項３】
前記フレキシブルプリント基板に係止部を設け、前記ハウジングの長手方向両側に前記係止部と係合する係合部を設けることを特徴とする請求項１又は２記載のコネクタ。
【請求項４】
前記コンタクトの支点部より前記接触部と対向する方向に延設する延設部を設けるとともに前記接触部と対向する位置に前記延設部より略Ｌ字形状に突出する弾性変位可能な接触片を設けることを特徴とする請求項１又は３記載のコネクタ。
【請求項５】
一方の前記コンタクトの支点部より前記接触部と対向する方向に延設する延設部を設けるとともに前記接触部と対向する位置に前記延設部より突出する弾性変位可能な接触片を設け、もう一方の前記コンタクトの前記支点部より前記押受部と対向する側に延設する延設部を設けるとともに前記支点部と前記接続部との間に前記接触部と対向する位置に略Ｌ字形状に突出する弾性変位可能な接触片を設けることを特徴とする請求項２又は３記載のコネクタ。
【請求項６】
前記コンタクト及び一方の前記コンタクトの前記接続部に突出する突出台を設けるとともに前記回動部材の押圧部を前記押受部と前記突出台との間で回動させることを特徴とする請求項４又は５記載のコネクタ。
【請求項７】
前記回動部材に前記ハウジングの上壁部を逃げるための溝部を設けることを特徴とする請求項４又は５記載のコネクタ。
【請求項８】
前記フレキシブルプリント基板の係止部として凸部若しくは凹部を設け、前記ハウジングの係合部として前記係止部に係合する凹部若しくは凸部を設けることを特徴とする請求項３から７項のうちいずれか１項記載のコネクタ。
【発明の詳細な説明】
【技術分野】
【０００１】
本発明は、薄型プラズマテレビやノートパソコン等の電気又は電子機器に使用されるフレキシブルプリント基板（以下「ＦＰＣ」という）を使用したコネクタに関するもので、特に防塵性対策を施したコネクタの構造に関するものである。
【背景技術】
【０００２】
携帯電話やＣＣＤカメラ等に使用されるコネクタは、狭ピッチで極薄（所謂軽薄短小）であり、１つのタイプは主にハウジングとコンタクトとを備え、ハウジングにＦＰＣを挿入し、コンタクトの接触部に接触させる構造のもの（所謂、ノンＺＩＦタイプ）やまた違うタイプとしては主にハウジングとコンタクトとスライダーとを備え、ハウジングとスライダーとでＦＰＣを挟持する構造のもの（所謂、ＺＩＦタイプとピアノタッチタイプ）がある。ハウジングとスライダーとでＦＰＣを保持する方法には、色々考えられるが、中でもハウジングにＦＰＣを挿入した後にスライダーを挿入しＦＰＣをコンタクトに押しつける構造のものが多い。また、客先の仕様や狭ピッチを図るためには、前記コンタクトの接続部を前記ハウジングの嵌合口側に配置しなければならないこともある。
ハウジングには、コンタクトが挿入される所要数の挿入孔が設けられるとともにＦＰＣが挿入される嵌合口が設けられている。
コンタクトは主にＦＰＣと接触する接触部と基板等に接続する接続部とハウジングに固定される固定部とを備えている。このコンタクトは、圧入等によってハウジングに固定されている。
下記にＺＩＦタイプの所謂バックロックタイプとしての特許文献１（特開２００３−２９７４８９）と特許文献２（特開平１１−３０７１９８号）と本出願人が既に提案した特許文献３（特開２００４−７１１６０）を例示する。また、ＦＦＣをロックする構造として、特許文献４（実開平６−８２７８３号）及び本出願人が既に提案した特許文献５（特願２００３−４２２２５８）を例示する。
【特許文献１】特開２００３−２９７４８９の要約によると、アクチュエータを小さい操作力で操作でき、また、アクチュエータによるコンタクトの移動量を大きくして接続を確実に行うことができ、更に、低背のコネクタを提供することを目的とし、アクチュエータは、カム部と操作部を有し、前記両部の間に各コンタクトのばね部の先端付近が挿入脱出可能な逃げ溝を形成され、アクチュエータを支点を中心として９０°右回転すると、カム部は各コンタクトのばね部と連結ばね部を弾性変形させ、すると、接触部の突起と接触部の突起との間で、ＦＰＣは挟圧され、したがって、ＦＰＣのパターンは、各コンタクトの端子部を介してプリント基板に接続され、インシュレータの天井部は、各コンタクトの接触部を被覆し、天井部の前面側の下部には、ＦＰＣをコネクタに挿入するためのガイド部が形成された構造のコネクタが開示されている。
【特許文献２】特開平１１−３０７１９８号の要約によると、複数の端子を接続し、ＦＰＣ等を保持するプリント配線板用コネクターの操作性、保持性能を向上することを目的とし、ハウジングに、ＦＰＣ等が差し込まれる挿入溝を設け、複数のコンタクトを、接触部を挿入溝に対して突出後退自在に、並列して設け、操作部材を、接続位置と解除位置とに回動自在に設け、操作部材に、複数のカムを設け、操作部材が接続位置のとき、コンタクトが、カムに被操作部を押圧されて接触部を挿入溝に突出させ、ＦＰＣ等の端子に圧接して、端子を接続すると共にＦＰＣ等を保持し、操作部材が解除位置のとき、一部のコンタクトが、カムに被操作部を押圧されて接触部を挿入溝に対して僅かに突出させ、ＦＰＣ等に当接して、ＦＰＣ等を仮保持し、残りのコンタクトは、接触部を挿入溝に対して後退させる構造のプリント配線板用コネクターが開示されている。
【特許文献３】特開２００４−７１１６０の要約によると、各部位の強度や仕様等を損なうことなく、スライダーでＦＰＣ又はＦＦＣを確実にコンタクトの接触部に押圧することができ、作業性がよく、ピッチの狭小化や低背位化が可能なコネクタを提供することを目的とし、コンタクトの接触部と接続部との間に弾性部と支点部とを設けるとともに接触部と弾性部と支点部と接続部とを略クランク形状に配置し、かつ、接続部と対向する位置に弾性部から延設された押受部を設け、スライダーに長手方向に連設した押圧部を設け、押圧部がコンタクトの接続部と押受部との間で回動自在にスライダーをハウジングに装着する構造のコネクタが開示されている。
【特許文献４】実開平６−８２７８３号の要約によると、フレキシブルケーブルの裏面にリジットな補強板が取り付けられているフラットケーブルでも容易にスライダーの爪に係止させられることを目的とし、コンタクトピンを内装し、フラットケーブルを差し込む嵌合空間を形成したハウジングの嵌合空間内に、スライダーを挿抜自在に且つ抜き出し時に外側に回動可能に取り付け、前記嵌合空間にフラットケーブルを差し込んでからスライダーを嵌合空間に押し込むと、フラットケーブルがコンタクトピンに電気的に接続されるにおいて、前記スライダーのフラットケーブル当接面に、フレキシブルケーブルの裏面に補強板があてがわれたフラットケーブルのフレキシブルケーブル及び補強板に形成された係止部に挿入係止される係止突子を突設した構造のものが開示されている。
【特許文献５】ＦＰＣをロックする構造として、本出願人が提案した特願２００３−４２２２５８に、少芯数のコネクタでも、要求されたＦＰＣの保持力を確保することができ、接続不良にも繋がらないコネクタを提供することを目的に、ＦＰＣと着脱自在に嵌合するコネクタであって、ＦＰＣと接触する接触部を有する所要数のコンタクトと、このコンタクトが保持・固定されるとともにＦＰＣが挿入される嵌合口を有するハウジングとを備えるコネクタにおいて、ＦＰＣに係止部を設け、係止部と係合する係合部を有するロック部材をハウジングに装着し、ロック部材の係合部をＦＰＣの係止部に係合させることによりＦＰＣがハウジングから抜けないようにすることにより達成でき、更に前記係合部に対応した位置に溝部を設けることでより確実なロックができる構造のコネクタが開示されている。
【発明の開示】
【発明が解決しようとする課題】
【０００３】
近年、電気・電子機器の小型化が進むにつれ、コネクタの小型化の要求も強くなってきており、コネクタはより一層軽薄短小化が進んできている。軽薄短小化が進む中、アクチュエータやスライダー等の回動部材の稼動するスペースを確保するため、コンタクト上面（特にテール側）を露出することが公の事実となっている。しかしながら、コネクタの使用用途によってはコネクタの小型化（低背化）の要求がされることがなく、コンタクトが露出していると、防塵性が悪く、場合によっては接続不良の原因に繋がることも考えられる。
また、ＦＰＣをコネクタに挿入する際には挿入力の掛からない構造のものが要求され、ＦＰＣが完全に嵌合されているかどうかを目視で判別することも要求されている。
【０００４】
本発明は、このような従来の問題点に鑑みてなされたもので、ＦＰＣの挿入力が掛からないで、防塵性を高めるコネクタを提供せんとするものである。
【課題を解決するための手段】
【０００５】
上記目的は、ＦＰＣ６４と着脱自在に嵌合するコネクタ１０であって、該ＦＰＣ６４と接触する接触部２６を有する所要数のコンタクト１４と、このコンタクト１４が保持・固定されるとともに前記ＦＰＣ６４が挿入される嵌合口２０を有するハウジング１２と、前記コンタクト１４を押圧する回動部材１８とを備えるコネクタ１０において、前記コンタクト１４は、一端側に前記接続対象物と接触する接触部２６と他端側に前記回動部材１８により押圧される押受部３２と該押受部３２の先端に内側に突出した突出部４２とを有する第一片２２と、一端側に支点部２８と他端側に基板と接続する接続部４０とを有する第ニ片２４と、前記第一片２２と前記支点部２８とを連結する連結部３０とを備え、前記接触部２６と前記連結部３０と前記支点部２８と前記接続部４０とを略クランク形状に配置し、前記ハウジング１２は、前記コンタクト１４の接触部２６を被覆する天井部５０を有し、前記押受部３２を覆うとともに前記天井部５０に連設する上壁部５２とを備え、前記回動部材１８は、回動させるための操作部５６と長手方向に連設した押圧部５４と前記押受部３２が挿入でき前記突出部４２と係合する別個独立の係止孔５８と前記コンタクトテール側を覆うカバー部６０とを備え、前記押圧部５４が前記コンタクト１４の接続部４０と押受部３２との間で回動するように前記ハウジング１２に装着され、前記回動部材１８が回動し、前記コンタクト１４が前記ＦＰＣ６４と接続する状態の際に、前記回動部材１８のカバー部６０で前記コンタクトテール側を覆うようにすることにより達成できる。
【０００６】
より狭ピッチを図るためには、ＦＰＣ６４と着脱自在に嵌合するコネクタ１０であって、該ＦＰＣ６４と接触する接触部２６を有する所要数のコンタクト１４、１６と、このコンタクト１４、１６が保持・固定されるとともに前記ＦＰＣ６４が挿入される嵌合口２０を有するハウジング１２と、前記コンタクト１４、１６を押圧する回動部材１８とを備えるコネクタ１０において、２種類のコンタクト１４、１６を千鳥に配置し、一方の前記コンタクト１４は、一端側に前記接続対象物と接触する接触部２６と他端側に前記回動部材１８により押圧される押受部３２と該押受部３２の先端に内側に突出した突出部４２とを有する第一片２２と、一端側に支点部２８と他端側に基板と接続する接続部４０とを有する第ニ片２４と、前記第一片２２と前記支点部２８とを連結する連結部３０とを備え、前記接触部２６と前記連結部３０と前記支点部２８と前記接続部４０とを略クランク形状に配置し、もう一方のコンタクト１６は、一端側に前記接続対象物と接触する接触部２６と他端側に前記回動部材１８により押圧される押受部３２と該押受部３２先端に内側に突出した突出部４２とを有する第一片２２と、一端側に基板と接続する接続部４０と他端側に支点部２８とを有する第ニ片２４と、前記第一片２２と前記支点部２８とを連結する連結部３０とを備え、前記接触部２６と前記連結部３０と前記支点部２８と前記接続部４０とを略倒Ｕ字形状に配置し、前記ハウジング１２は、一方及びもう一方の前記コンタクト１４、１６の接触部２６、２６を被覆する天井部５０を有し、前記押受部３２を覆うとともに前記天井部５０に連設する上壁部５２とを備え、前記回動部材１８は、回動させるための操作部５６と長手方向に連設した押圧部５４と前記押受部３２が挿入でき前記突出部４２と係合する別個独立の係止孔５８と前記コンタクトテール側を覆うカバー部６０とを備え、前記押圧部５４が一方の前記コンタクト１４の接続部４０と押受部３２との間若しくはもう一方の前記コンタクト１６の押受部３２と前記ハウジング１２との間で回動するように前記ハウジング１２に装着され、前記回動部材１８が回動し、前記コンタクト１４、１６が前記ＦＰＣ６４と接続する状態の際に、前記回動部材１８のカバー部６０で前記コンタクトテール側を覆うようにすることで達成できる。
【０００７】
前記ＦＰＣ６４に係止部６６を設け、前記ハウジング１２の長手方向両側に前記係止部６６と係合する係合部４６を設ける。
また、前記コンタクト１４の支点部２８より前記接触部２６と対向する方向に延設する延設部３６を設けるとともに前記接触部２６と対向する位置に前記延設部３６より突出する弾性変位可能な接触片３４を設ける。
さらに、一方の前記コンタクト１４の支点部２８より前記接触部２６と対向する方向に延設する延設部３６を設けるとともに前記接触部２６と対向する位置に前記延設部３６より略Ｌ字形状に突出する弾性変位可能な接触片３４を設け、もう一方の前記コンタクト１６の前記支点部２８より前記押受部３２と対向する側に延設する延設部３６を設けるとともに前記支点部２８と前記接続部４０との間に前記接触部２６と対向する位置に略Ｌ字形状に突出する弾性変位可能な接触片３４を設ける。
【０００８】
前記コンタクト１４及び一方の前記コンタクト１６の前記接続部４０に突出する突出台４４を設けるとともに前記回動部材１８の押圧部５４を前記押受部３２と前記突出台４４との間で回動させる。
また、前記回動部材１８に前記ハウジング１２の上壁部５２を逃げるための溝部６２を設ける。
さらに、前記ＦＰＣ６４の係止部６６として凸部若しくは凹部を設け、前記ハウジング１２の係合部４６として前記係止部６６に係合する凹部若しくは凸部を設ける。
なお、前記ハウジング７２の上壁部５２及び前記回動部材７８の操作部５６は防塵性を高めるため一直線状にする。
【発明の効果】
【０００９】
以上の説明から明らかなように、本発明のコネクタによると、次のような優れた顕著な効果が得られる。
（１）ＦＰＣ６４と着脱自在に嵌合するコネクタ１０であって、該ＦＰＣ６４と接触する接触部２６を有する所要数のコンタクト１４と、このコンタクト１４が保持・固定されるとともに前記ＦＰＣ６４が挿入される嵌合口２０を有するハウジング１２と、前記コンタクト１４を押圧する回動部材１８とを備えるコネクタ１０において、前記コンタクト１４は、一端側に前記接続対象物と接触する接触部２６と他端側に前記回動部材１８により押圧される押受部３２と該押受部３２の先端に内側に突出した突出部４２とを有する第一片２２と、一端側に支点部２８と他端側に基板と接続する接続部４０とを有する第ニ片２４と、前記第一片２２と前記支点部２８とを連結する連結部３０とを備え、前記接触部２６と前記連結部３０と前記支点部２８と前記接続部４０とを略クランク形状に配置し、前記ハウジング１２は、前記コンタクト１４の接触部２６を被覆する天井部５０を有し、前記押受部３２を覆うとともに前記天井部５０に連設する上壁部５２とを備え、前記回動部材１８は、回動させるための操作部５６と長手方向に連設した押圧部５４と前記押受部３２が挿入でき前記突出部４２と係合する別個独立の係止孔５８と前記コンタクトテール側を覆うカバー部６０とを備え、前記押圧部５４が前記コンタクト１４の接続部４０と押受部３２との間で回動するように前記ハウジング１２に装着され、前記回動部材１８が回動し、前記コンタクト１４が前記ＦＰＣ６４と接続する状態の際に、前記回動部材１８のカバー部６０で前記コンタクトテール側を覆うようにしているので、ＦＰＣ６４の挿入力が掛からないで、前記コンタクト１４上面を確実に覆うことができ、防塵性の良いコネクタ１０を提供できる。
（２）ＦＰＣ６４と着脱自在に嵌合するコネクタ１０であって、該ＦＰＣ６４と接触する接触部２６を有する所要数のコンタクト１４、１６と、このコンタクト１４、１６が保持・固定されるとともに前記ＦＰＣ６４が挿入される嵌合口２０を有するハウジング１２と、前記コンタクト１４、１６を押圧する回動部材１８とを備えるコネクタ１０において、２種類のコンタクト１４、１６を千鳥に配置し、一方の前記コンタクト１４は、一端側に前記接続対象物と接触する接触部２６と他端側に前記回動部材１８により押圧される押受部３２と該押受部３２の先端に内側に突出した突出部４２とを有する第一片２２と、一端側に支点部２８と他端側に基板と接続する接続部４０とを有する第ニ片２４と、前記第一片２２と前記支点部２８とを連結する連結部３０とを備え、前記接触部２６と前記連結部３０と前記支点部２８と前記接続部４０とを略クランク形状に配置し、もう一方のコンタクト１６は、一端側に前記接続対象物と接触する接触部２６と他端側に前記回動部材１８により押圧される押受部３２と該押受部３２の先端に内側に突出した突出部４２とを有する第一片２２と、一端側に基板と接続する接続部４０と他端側に支点部２８とを有する第ニ片２４と、前記第一片２２と前記支点部２８とを連結する連結部３０とを備え、前記接触部２６と前記連結部３０と前記支点部２８と前記接続部４０とを略倒Ｕ字形状に配置し、前記ハウジング１２は、一方及びもう一方の前記コンタクト１４、１６の接触部２６、２６を被覆する天井部５０を有し、前記押受部３２を覆うとともに前記天井部５０に連設する上壁部５２とを備え、前記回動部材１８は、回動させるための操作部５６と長手方向に連設した押圧部５４と前記押受部３２が挿入でき前記突出部４２と係合する別個独立の係止孔５８と前記コンタクトテール側を覆うカバー部６０とを備え、前記押圧部３２が一方の前記コンタクト１４の接続部４０と押受部３２との間若しくはもう一方の前記コンタクト１６の押受部３２と前記ハウジング１２との間で回動するように前記ハウジング１２に装着され、前記回動部材１８が回動し、前記コンタクト１４、１６が前記ＦＰＣ６４と接続する状態の際に、前記回動部材１８のカバー部６０で前記コンタクトテール側を覆うようにしているので、より狭小ピッチ化を図ることができ、ＦＰＣ６４の挿入力が掛からないで、前記コンタクト１４、１６上面を確実に覆うことができ、防塵性の良いコネクタ１０を提供できる。
（３）前記ＦＰＣ６４に係止部６６を設け、前記ハウジング１２の長手方向両側に前記係止部６６と係合する係合部４６を設けているので、ＦＰＣ６４の確実なロックが可能で、ＦＰＣ６４の斜め挿入防止を図ることができ、ＦＰＣ６４の挿入状態を目視で判別することができる。
（４）前記コンタクト１４の支点部２８より前記接触部４０と対向する方向に延設する延設部３６を設けるとともに前記接触部２６と対向する位置に前記延設部３６より略Ｌ字形状に突出する弾性変位可能な接触片３４を設けているので、ＦＰＣ６４の上下に接点がある場合にも対応できると同時に下側も弾性変位が可能なため安定した接続を得ることができる。
（５）一方の前記コンタクト１４の支点部２８より前記接触部２６と対向する方向に延設する延設部３６を設けるとともに前記接触部２６と対向する位置に前記延設部３６より略Ｌ字形状に突出する弾性変位可能な接触片３４を設け、もう一方の前記コンタクト１６の前記支点部２８より前記押受部３２と対向する側に延設する延設部３６を設けるとともに前記支点部２８と前記接続部４０との間に前記接触部２６と対向する位置に突出する弾性変位可能な接触片３４を設けているので、より狭小ピッチ化を図ることができ、ＦＰＣ６４の上下に接点がある場合にも対応できると同時に下側も弾性変位が可能なため安定した接続を得ることができる。
（６）前記コンタクト１４及び一方の前記コンタクト１６の前記接続部４０に突出する突出台４４を設けるとともに前記回動部材１８の押圧部５４を前記押受部３２と前記突出台４４との間で回動させているので、前記押圧部５４の回動する高さの位置を任意に変えることができ、安定した回動と接続を得ることができる。
（７）前記回動部材１８に前記ハウジング１２の上壁部５２を逃げるための溝部６２を設けているので、確実に前記回動部材１８で前記コンタクト１４、１６のテール側を覆うことができる。
（８）前記ＦＰＣ６４の係止部６６として凸部若しくは凹部を設け、前記ハウジング１２の係合部４６として前記係止部６６に係合する凹部若しくは凸部を設けているので、簡単な構造でのＦＰＣ６４の確実なロックが可能で、ＦＰＣ６４の斜め挿入防止を図ることができ、ＦＰＣ６４の挿入状態を目視で判別することができる。
（９）前記ハウジング７２の上壁部５２及び前記回動部材７８の操作部５６は防塵性を高めるため一直線状にしているので、さらに防塵性がアップする。
【発明を実施するための最良の形態】
【００１０】
図１から図７に基づいて、本発明の一実施例について説明する。図１（Ａ）はＦＰＣ挿入側よりみた回動部材が開いた状態のコネクタの斜視図であり、（Ｂ）は回動部材が閉じた状態のコネクタの斜視図である。図２は回動部材の斜視図であり、図３はハウジングの斜視図である。図４（Ａ）は一方のコンタクトの斜視図であり、（Ｂ）はもう一方のコンタクトの斜視図である。図５（Ａ）は回動部材が開いた状態の一方のコンタクト部分の断面図であり、（Ｂ）は回動部材が閉じた状態の一方のコンタクト部分の断面図である。図６（Ａ）は回動部材が閉じた状態のもう一方のコンタクト部分の断面図であり、（Ｂ）は回動部材が閉じた状態のもう一方のコンタクト部分の断面図である。図７（Ａ）は挿入される前のＦＰＣとコネクタの斜視図であり、（Ｂ）はＦＰＣが挿入された状態のコネクタの斜視図である。
一実施例の本発明のコネクタは、主にハウジング１２と回動部材１８とコンタクト１４、１６とを備えている。該コネクタ１０は、２種類のコンタクト１４、１６をハウジング１２への挿入方向を変えて千鳥に配列しており、挿入方向を変えて千鳥に配列することによってピッチの狭小化と低背位化に対応させたものである。
【００１１】
構成部品を説明する前に、ＦＰＣ６４について説明する。前記ＦＰＣ６４には、主にコンタクト１４、１６の接触部２６と接触する接触部と該接触部から回路へ繋がるパターンと前記ハウジング１２の係合部４６と係合する係止部６６とを備えている。本実施例では前記ＦＰＣ６４の接触部は千鳥に配置されている。前記係止部６６の形状としては、前記ハウジング１２の係合部４６に係合できれば如何なるものでも良いが、本実施例では図７のように凸形状にした。
【００１２】
まず、図４に基づいて、２種類のコンタクト１４、１６について説明する。この２種類のコンタクト１４、１６は金属製であり、公知技術のプレス加工によって製作されている。前記コンタクト１４、１６の材質としては、バネ性や導電性などが要求されるので、黄銅やベリリウム銅やリン青銅等を挙げることができる。
【００１３】
最初に、図４（Ａ）の一方のコンタクトについて説明する。一方の前記コンタクト１４は図４（Ａ）のように倒略Ｈ形状をし、少なくとも前記ＦＰＣ６４と接触する接触部２６（図４（Ａ）の図面の上側）と基板等に接続する接続部４０と前記ハウジング１２に固定する固定部３８と連結部３０と支点部２８と回動部材１８によって押圧される押受部３２とを備えている。前記接触部２６と前記押受部３２とは略直線状の板状片の第一片２２の両端に設けられ、前記押受部３２の先端には内側に突出した突出部４２が設けられている。一端側に支点部２８と他端側に接続部４０とを有する第二片２４を備え、前記支点部２８と前記第一片２２とは連結部３０によって連結されている。前記接触部２６と前記連結部３０と前記支点部２８と前記接続部４０とを略クランク形状に配置されており、前記支点部２８より前記接触部２６と対向する方向に延設する延設部３６を設けるとともに前記接触部２６と対向する位置に前記延設部３６より略Ｌ字形状に突出する弾性変位可能な接触片３４が設けられている。
【００１４】
前記接続部４０の配置位置としては、基板のランド位置や基板のパターン位置や狭スペース等を考慮して適宜設計する。即ち、前記接続部４０は要求仕様に応じて、前記接触部２６に対向する側や前記押受部３２に対向する側に設けられることになり、また、ランドの位置によっては千鳥に設けることもある。一方の前記コンタクト１４では、前記接続部４０を前記押受部３２に対向する側に設けている。前記接触部２６は、ＦＰＣ６４と接触し易いように凸部形状にしており、前記接続部４０は本実施例では図４（Ａ）のように表面実装タイプ（ＳＭＴ）にしているが、ディップタイプでも良い。前記ＦＰＣ６４の仕様によっては、前記接触部２６と対向する側にも接触部２６を設ける場合もある。即ち、２つの接触部２６、２６を設けて、前記ＦＰＣ６４を挟持するようにする。前記ＦＰＣ６４の挿入方向に対して、直角方向両側に接触部２６、２６を設けることで、前記ＦＰＣ６４を２つの接触部２６、２６で挟持することになり、確実に前記ＦＰＣ６４と接触できるようになる。本実施例では、一方の前記コンタクト１４では、前記支点部２８から前記接触部２６に対向するように延設部３６を設け、該延設部３６上に前記接触部２６に対向する位置にも略Ｌ字形状に突出した弾性変位可能な接触片３４を設け、その先端に接触部２６を設けることで２つの接触部２６、２６で挟持できるようにしている。本実施例では前記接触片３４を略L字形状にしたが、弾性変位可能であれば如何なる形状でもよく、例えば両端支持梁形状でも、本実施例とは逆の逆L字形状でもよい。前記接触片３４の大きさや形状は、前記ＦＰＣ６４との接続の際に安定した接続が得られることや前記接触片３４の強度等を考慮して適宜設計する。
【００１５】
前記支点部２８と前記連結部３０と前記押受部３２とは、前記ＦＰＣ６４が挿入された際に、次のような作用を果たすための部分である。前記ＦＰＣ６４が前記ハウジング１２の嵌合口２０内に挿入された後に、前記回動部材１８の押圧部５４が前記コンタクト１４の接続部４０と押受部３２との間で回動すると、前記押受部３２が押圧部５４によって押し上げられることで前記コンタクト１４の支点部２８を支点にし、前記コンタクト１４の連結部３０が前記接触部２６側に傾くことによって、前記接触部２６が前記ＦＰＣ６４側に押圧される。前記支点部２８と前記連結部３０と前記押受部３２の大きさや形状は、このような作用を果たすために、適宜設計されている。また、前記コンタクト１４の押受部３２の先端に突出部４２を設け、回動部材１８の押圧部５４をコンタクト１４の押受部３２と接続部４０との間で回動させるとき、前記回動部材１８の係止孔５８に係合させることで、回動部材１８の回動に対する強い反発力に対抗し、回動部材の中央部が図１（Ｂ）の矢印「ロ」方向に膨れてしまうことを防ぐようにすることが望ましい。前記突出部４６の大きさは、このような役割を果たすことが出来れば如何なる大きさでもよく、回動部材１８の係止孔５８が引っ掛かる程度に適宜設計する。
また、本実施例では、前記接続部４０に前記押受部３２側に突出する突出台４４を設け、前記回動部材１８の押圧部５４が前記突出台４４と押受部３２との間で回動するようにした。前記突出台４４は前記回動部材１８の押圧部５４が回動する際に安定した回動をするために、押受部３２と接続部４０との間の間隔を調整するためのものであり、突出量はこのようなことを考慮して適宜設計する。
【００１６】
次に、もう一方のコンタクト１６について説明する。ここでは、上述した一方のコンタクト１４との相違部分についてのみ説明する。もう一方の前記コンタクト１６も図４（Ｂ）のように一方の前記コンタクトと同様に倒略Ｈ字形状をしており、主にＦＰＣ６４と接触する接触部２６（図４（Ｂ）の図面の上側）と基板に接続する接続部４０とハウジング１２に固定する固定部３８と連結部３０及び支点部２８と前記回動部材１８のよって押圧される押受部３２とを備えている。これらの前記接触部２６と前記連結部３０と前記支点部２８と前記接続部４０は、略倒Ｕ字形状に配置されている。前記接続部４０は、一方のコンタクトと同様に表面実装タイプ（ＳＭＴ）にしているが、ディップタイプでも良い。
【００１７】
一方の前記コンタクト１４ともう一方の前記コンタクト１６の相違点は、幾分形状的な違いはあるものの前記接続部４０と前記延設部３６とが逆にしただけである。即ち、一方の前記コンタクト１４では、前記接続部４０を前記押受部３２と対向する側に、前記延設部３６を前記接触部２６と対向する側に設けているのに対し、もう一方の前記コンタクト１６では、前記接続部４０を前記接触部２６と対向する側に、前記延設部３６を前記押受部３２と対向する側に設けている。また、もう一方の前記コンタクト１６の場合も前記コンタクト１４と同様に前記接触部２６と対向する側にも、本実施例では、前記支点部２８と前記接続部４０との間に前記接触部２６と対向する位置に略Ｌ字形状に突出する弾性変位可能な接触片３４を設け、その先端に接触部２６を設け、２つの接触部２６、２６で前記ＦＰＣ６４を挟持するようにしている。
【００１８】
本実施例では、２種類のコンタクト１４、１６ともに上述したような略倒Ｈ字形状にしたが、例えば、一方の前記コンタクト１４に代えて、図示はしないが、一方の前記コンタクト１４の支点部２８から延設した前記延設部３６を削除した略逆ｈ字形状にしたコンタクトを使用してもよい。
また、もう一方の前記コンタクト１６も同様に、図示はしないが、もう一方の前記コンタクト１６の支点部２８から延設した前記延設部３６を削除した略逆ｈ字形状にしたコンタクトを使用してもよい。
【００１９】
ここで、前記回動部材１８の押圧部５４の移動及び回動の仕方について説明する。
第一に、前記接続対象物と前記コネクタ１０との接続前の状態で、前記押圧部５４の下端側が前記押受部３２の突出部４２と接続部４０、ハウジング１２との間に位置する。
第二に、前記操作部５６を回動（図面の時計回り方向）させると前記押圧部５４が嵌合口２０と反対方向に移動し、前記押圧部５４の下端が前記押受部３２の突出部４２と接続部４０、ハウジング１２との間に挟持される。
第三に、前記操作部５６をさらに回動させると第ニの位置で前記押圧部５４が押圧部５４の中心を回転軸として回動する。
第四に、前記操作部５６をさらに回動させると第三の位置で前記押圧部５４が押圧部５４の中心を回転軸として回動し、前記押圧部５４が前記押受部３２と前記接続部４０、前記ハウジング１２との間でほぼ垂直になり回転軸が前記突出部４２に接した上端側に移動する。
第五に、前記操作部５６をさらに回動させると第四の位置で前記押圧部５４が前記突出部４２に接した上端側を中心に回動し、前記押圧部５４を前記突出部４２に引っ掛かった状態に係合させる。
即ち、前記押圧部５４は最初は移動し、その後回動し、さらに回動を続けると回転軸が変化して、省スペース間でコンパクトな回動（回転）を行なうものである。
つまり、本発明のコネクタ１０では、前記ＦＰＣ６４等の接続対象物を嵌合口２０内に挿入する際に挿入力の掛からない（所謂、ゼロ・インサーション・フォース（ＺＩＦ））構造で、前記回動部材１８の押圧部５４をより前記コンタクト１４、１６の突出部４２側で回動させる（より突出部４２側で前記コンタクト１４、１６の押受部３２を押し上げる）ことで小さな力で前記回動部材１８をロックできる構造で、かつ、前記回動部材１８の押圧部５４でより前記コンタクト１４，１６の突出部４２側の押受部３２を押し上げることで高い接触力を得られる構造になっている。
【００２０】
次に、回動部材１８について説明する。この回動部材１８は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
該回動部材１８は主にハウジング１２に回動可能に装着される軸６３部分と前記コンタクト１４、１６の押受部３２を押圧する押圧部５４と前記コンタクト１４、１６の突出部４２が係合する係止孔５８とを備えている。前記軸６３は、回動部材１８を回動するための支点であり、ハウジング１２の長手方向両側に回動部材１８が回動可能に適宜装着されている。また、長手方向両側には、前記コンタクト１４、１６の押受部３２を押圧した際に回動部材が高さ（図面の上）方向に持ち上がらないようにするためにハウジング１２と係合するロック部５９が設けられている。ロック部５９の形状や大きさ等は、ハウジング１２に係合できれば如何なるものでもよく、上述の役割やコネクタ１０の大きさや強度等を考慮して適宜設計する。
【００２１】
前記回動部材１８の前記押圧部５４は、コンタクト１４、１６の押受部３２に押し付ける部分であり、その形状としては細長形状にすることが望ましく、本実施例では楕円形状をしている。このように楕円形状にすることによって、図５（Ａ）及び図６（Ａ）のように回動部材１８を矢印「イ」方向及び矢印「ハ」方向に回動させ、コンタクト１４、１６の押受部３２と接続部４０またはハウジング１２との間で回転させることで、押圧部５４の大きさの変化によりコンタクト１４、１６の押受部３２が持ち上げられ、ＦＰＣ６４をコンタクト１４、１６の接触部２６、２６側に押し付けている。押圧部５４の形状としては、コンタクト１４、１６の押受部３２と接続部４０または前記ハウジング１２との間で回転でき、長軸と短軸といった大きさの違いによりコンタクト１４、１６の押受部３２を押し上げられれば、如何なるものでもよい。前記押圧部５４の形状や大きさは、このようなことを考慮して適宜設計する。また、前記回動部材１８には、操作性を考慮して、操作部５６が設けられている。
【００２２】
また、前記回動部材１８を回動した際に、回動部材１８の回動に対する反発力が強く、回動部材１８の中央部が図１（Ａ）の矢印「ロ」方向に膨れてしまうことを防ぐようにする為に、前記コンタクト１４、１６の突出部４２が係合する係止孔５８が別個独立に設けられている。前記係止孔５８を別個独立に設けることで、回動部材１８の強度アップや回動時の変形を防止している。
上述した前記回動部材１８は前記ハウジング１２の嵌合口２０と反対側（一方のコンタクト１４の接続部側）に回動自在に装着されている。
また、前記回動部材１８には、下述する前記ハウジング１２の上壁部５２の逃げとしての溝部６２が設けられている。この溝部６２は、前記回動部材１８が回動する際の前記ハウジング１２の上壁部５２の逃げである。
【００２３】
最後に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００２４】
前記ハウジング１２には、所要数のコンタクト１４、１６が装着される挿入溝４８が設けられており、圧入や引っ掛け（ランス）や溶着等によって固定されている。また、前記ハウジング１２には前記ＦＰＣ６４が挿入される嵌合口２０が設けられ、前記嵌合口２０の大きさは前記ＦＰＣ６４が挿入でき、前記ＦＰＣ６４が挿入された際に前記回動部材１８で前記コンタクトに押圧できるように適宜設計されている。前記ハウジング１２の長手方向両側には、前記回動部材１８の軸６３が回動可能に装着される軸受部が設けられている。この軸受部の形状や大きさは、回動部材１８の軸６３が回動できるように装着されていれば如何なるものでもよく、この役割やハウジング１２の強度や大きさ等を考慮して適宜設計する。
【００２５】
前記ハウジング１２には、前記コンタクト１４、１６の接触部２６、２６を被覆する天井部５０が設けられており、かつ、前記コンタクト１４、１６の押受部３２を覆うとともに前記天井部５０に連設する上壁部５２が設けられている。前記天井部５０と前記上壁部５２は、前記コンタクト１４、１６の防塵性を高めるためのものであり、その大きさや形状はこの役割や前記ハウジング１２の強度や前記回動部材１８の回動性や強度等を考慮して適宜設計する。
【００２６】
図８に基づいて、別の実施例について説明する。以下では、上述したものとの相違点についてのみ説明する。図８は回動部材を閉じた状態（ＦＰＣと接続する状態）のコネクタの斜視図である。相違点としては、ハウジング７２と回動部材７８の一部分の形状である。図１（Ｂ）と図８を比較すると判るように、ＦＰＣ６４との接続時の防塵性を挙げることを目的に、前記ハウジング７２と前記回動部材７８から凹部（溝）を無くしている。即ち、前記ハウジング７２の上壁部５２の先端部分は、図８のように一直線状にし、スリットや溝や凹や切り欠き等を一切設けないような形状にした。また、前記回動部材７８の操作部５６の先端部分も、図８のように一直線状にし、スリットや溝や凹や切り欠き等を一切設けないような形状にした。図８の実施例においては前記ＦＰＣ６４を横方向から挿入する方式のため、嵌合口２０を覆った構造にしている。
【産業上の利用可能性】
【００２７】
本発明の活用例としては、薄型プラズマテレビやノートパソコン等の電気又は電子機器に使用されるＦＰＣを使用したコネクタに活用され、特に防塵性対策を施したコネクタの構造に関するものである。
【図面の簡単な説明】
【００２８】
【図１】（Ａ）  ＦＰＣ挿入側よりみた回動部材が開いた状態のコネクタの斜視図である。（Ｂ）  回動部材が閉じた状態のコネクタの斜視図である。
【図２】回動部材の斜視図である。
【図３】ハウジングの斜視図である。
【図４】（Ａ）  一方のコンタクトの斜視図である。（Ｂ）  もう一方のコンタクトの斜視図である。
【図５】（Ａ）  回動部材が開いた状態の一方のコンタクト部分の断面図である。（Ｂ）  回動部材が閉じた状態の一方のコンタクト部分の断面図である。
【図６】（Ａ）  回動部材が閉じた状態のもう一方のコンタクト部分の断面図である。（Ｂ）  回動部材が閉じた状態のもう一方のコンタクト部分の断面図である。
【図７】（Ａ）  挿入される前のＦＰＣとコネクタの斜視図である。（Ｂ）  ＦＰＣが挿入された状態のコネクタの斜視図である。
【図８】回動部材を閉じた状態（ＦＰＣと接続する状態）のコネクタの斜視図である。
【符号の説明】
【００２９】
１０、７０  コネクタ
１２、７２  ハウジング
１４、１６  コンタクト
１８、７８  回動部材
２０        嵌合口
２２        第一片
２４        第二片
２６        接触部
２８        支点部
３０        連結部
３２        押受部
３４        接触片
３６        延設部
３８        固定部
４０        接続部
４２        突出部
４４        突出台
４６        係合部
４８        挿入溝
５０        天井部
５２        上壁部
５４        押圧部
５６        操作部
５８        係止孔
６０        カバー部
６２        溝部
６４        ＦＰＣ
６６        係止部
【図１】
2006147523.tif 000003
【図２】
2006147523.tif 000004
【図３】
2006147523.tif 000005
【図４】
2006147523.tif 000006
【図５】
2006147523.tif 000007
【図６】
2006147523.tif 000008
【図７】
2006147523.tif 000009
【図８】
2006147523.tif 000010